(57)【要約】      （修正有）【課題】光媒体と電飾ユニット両者の組み付けを正確に達成できる筒状電飾体を提供する。【解決手段】ＬＥＤ２を帯状フレキシ基板６に等間隔に装着または弾性装着し、この実装済みのフレキ基板６を帯状アルミ５等の可塑性金属又はゴム或いは樹脂製の反可塑性部材に貼り付けることで発光ダイオード連装ベルト４を構成する。また、発光ダイオード連装ベルト４を螺子状又は螺旋状にねじり、そのねじり頻度によって光の取り出し方を変える。【選択図】図２
2009289724.tif 000002
【特許請求の範囲】
【請求項１】
螺子状又は螺旋状にねじった発光ダイオード連装ベルトを使用することを特徴とする筒状電飾体の製造方法。
【請求項２】
螺子状又は螺旋状にねじった発光ダイオード連装ベルトを使用することを特徴とする筒状電飾体の発光方向制御方法。
【発明の詳細な説明】
【技術分野】
【０００１】  本発明は発光ダイオードを使用した筒状電飾体に関するものであって、高品位な筒状電飾体の製造方法と様々な光源製品に応用できる筒状電飾体の発光方向制御方法を得ることを目的とする。
【背景技術】
【０００２】  図１３乃至図１５は従来の筒状電飾体である。図１３では透明ウレタンと微細反射材の複合体を棒状に成型してなる光媒体１ａの側面に、発光ダイオード（以下、ＬＥＤと称す）を密着させて取り付けている。ＬＥＤ２からの光を活用できる距離に制限がある小径用筒状電飾体である。【０００３】  図１４では筒の表面又は裏面に微細な傷を付けてなる光媒体１ｂの側面に、多数のＬＥＤ２を密着させて取り付けてある。光媒体１ｂの中を直進する光が傷に当たって乱反射し光るものである。光媒体１ｂを大型にできる筒状電飾体である。【０００４】  図１５では透明又は色付き乳半で筒状の光媒体１ｃの内部空洞に、ＬＥＤ２を多数個配設してなる電装ユニット３を挿入する。電装ユニット３の形状には丸、三角、四角又は２面形等がある。光媒体１ｃの発光強度が高い。電装ユニット３と光媒体１ｃの内壁とのクリアランス次第で光媒体１ｃにスポット光が発生したり、発光ムラが発生する。これらの発生原因は、前記クリアランスを一定に保つ両者の組み付けが困難なところにある。
【発明の開示】
【発明が解決しようとする課題】
【０００５】  筒状電飾体を構成する光媒体と電飾ユニット両者の組み付けを正確に達成できる自然法則を利用した技術的思想の創作を課題とする。
【課題を解決するための手段】
【０００６】  そこで、相手部材と当接して位置決めスペーサーの役割を達成できる技術を創作し、さらには、本発明は部材の存在応力を利用した相手部材への絡みを利用して、正確な位置関係をなんなく達成できる技術を創作した。
それは、螺子状又は螺旋状にねじった発光ダイオード連装ベルトを使用することを特徴とする筒状電飾体の製造方法と、【０００７】    螺子状又は螺旋状にねじった発光ダイオード連装ベルトを使用することを特徴とする筒状電飾体の発光方向制御方法である。
【発明の効果】
【０００８】  ひねりを加えた可塑性部材は当該部材の縁や面が三次元に展開することになり、相手部材と当接して位置決めスペーサーの役割を達成できる。
ひねりを加えた反可塑性部材は、相手部材と当接して位置決めスペーサーの役割を達成できるばかりか、ひねりから部材内に発生する存在応力を利用して相手部材との当接強度が高くなる。又、反可塑性部材はフレキシビリティであり、チューブ等の光媒体内部に自由に変形適合し得ること、かつ、この自由変形度を利用して前記チューブ状光媒体内部への挿入も簡単に行える。また、使用時に往々にして発生するチューブ状光媒体の変形に対しても、柔軟に追従できる。【０００９】  ひねりを加えられ三次元展開した発光ダイオード連装ベルトが、相手部材と当接して位置決めスペーサーの役割を達成すると、その当接は両者の相対的な位置関係を正確に決定付けることとなる。位置関係が正確に決定されると、光源から光媒介部材までのクリアランスを設計通りとする組み付けが可能となる。これにより、スポット光や光のムラ又は発光方向を制御できることになる。その制御方法は、連装ベルトへの発光ダイオードの配列線のオフセットや幾何学的配置又はランダム配置等手段は多数考えられる。また、発光ダイオードの突出高さは連装ベルトの縁にフランジを付け加えた嵩上げ手段（図１６参照）が考えられる。【００１０】  本発明を利用した高品位筒状電飾体や発光方向の制御を使用すると、階段の壁面に設置してある半透明の手摺パイプを均一に光らすことができる。光る棒状のブロックを多数組み合わせた屋外看板とすることができる。断面が丸、三角又は四角等様々な形状のパイプでありながら、それらのパイプをいとも簡単な製造方法で均一に光らすことができる。公園の歩道等に設置してある縁石使用して光誘導の一手法としても良いし、フレキ基板配線によりＬＥＤ配列において進行方向に向かって順番に点灯させたり、一つおきに点滅させたり、色違いＬＥＤを点滅させる等自由に制御させることもできる。パイプは透明でも良く、乳半アクリルパイプでも良い。更にはパイプの表面に半透過に疑似金属でメッキを施したものでも良い。
筒状電飾体は電飾チューブに限定するものではなく、蛍光管の代替としても利用できるものであり、様々な光源製品に提供するものである。
【発明を実施するための最良の形態】
【００１１】  ＬＥＤを帯状フレキ基板に等間隔（場合によっては幾何学的間隔に又はランダム間隔に）に装着又は弾性装着し、この実装済みのフレキ基板を帯状アルミ等の可塑性金属又はゴム或いは樹脂製の反可塑性部材に貼り付けることで発光ダイオード連装ベルトを構成する。当該発光ダイオード連装ベルトを螺子状又は螺旋状にねじり、そのねじり頻度によって光の取り出し方を変える。【００１２】  発光ダイオードの配列パターンに間欠を加えて発光方向を制御する。
【実施例１】
【００１３】  図１は発光ダイオード連装ベルト４の製造を示す概念図である。５が帯状アルミ、６が帯状フレキ基板、２がＬＥＤ、７がチューブ状光媒体である。螺子状のひねりを加えられた発光ダイオード連装ベルト４はその先端からチューブ状光媒体７の内径の中に連続挿入されることになる。
５を帯状アルミに代えてゴム或いは樹脂性の反可塑性部材としても良い。【００１４】  図２は螺子状のひねりを加えた発光ダイオード連装ベルト４の斜視図である。当該ベルト４は長手方向材軸中心線を基準としてＬＥＤ２を等間隔に実装した例である。５が帯状のアルミであり、６は帯状フレキ基板である。他の実施例として、その材軸中心線をどちら側かオフセットさせたり、幾何学的な配置としたり、ランダム配置としても良い。【００１５】  図３は螺子状のひねりを加えた発光ダイオード連装ベルト４とチューブ状光媒体７との嵌合状態を示す斜視図である。２がＬＥＤである。又、Ａ乃至Ｈは光の発光方向を示すものであり、その発光方向は図６に示すＡ乃至Ｈと対応する。【００１６】  図６は螺子状のひねりを加えた発光ダイオード連装ベルト４の正面図である。Ａ乃至Ｈは光の発光方向を示すものであり、その発光方向は図３に示すＡ乃至Ｈと対応する。４が発光ダイオード連装ベルトであり、５が帯状アルミであり、６が帯状フレキ基板であり、２がＬＥＤである。【００１７】  図４は螺旋状のひねりを加えた発光ダイオード連装ベルト４ａの斜視図である。当該ベルト４ａはＬＥＤ２を等間隔に実装すると共に、図中に示す螺旋中心線を基準にして螺旋状のひねりを加えられている。４ａが発光ダイオード連装ベルトであり、５が帯状アルミであり、６が帯状フレキ基板であり、２がＬＥＤである。５を帯状アルミに代えてゴム或いは樹脂性の反可塑性部材としても良い。【００１８】  図１２は螺旋状のひねりを加えた発光ダイオード連装ベルト４ａとチューブ状光媒体７との嵌合状態を示す斜視図である。Ａ乃至Ｆは光の発光方向を示すものであり、その発光方向は図７に示すＡ乃至Ｆと対応する。【００１９】  図７は螺旋状のひねりを加えた発光ダイオード連装ベルト４ａの正面図である。Ａ乃至Ｆは光の発光方向を示すものであり、その発光方向は図５及び図１２に示すＡ乃至Ｆと対応する。４ａが発光ダイオード連装ベルトであり、５が帯状アルミであり、６が帯状フレキ基板であり、２がＬＥＤである。【００２０】  図８は螺子状のひねりを加えた発光ダイオード連装ベルト４ｂの正面図である。この実施例ではＬＥＤ２の発光方向をＡ、Ｂ及びＣ方向に限定すべく発光ダイオード連装ベルト４ｂを構成した。【００２１】  図９は螺旋状のひねりを加えた発光ダイオード連装ベルト４ｃの正面図である。この実施例ではＬＥＤ２の発光方向をＡ、Ｂ及びＣ方向に限定すべく発光ダイオード連装ベルト４ｃを構成した。
【実施例２】
【００２２】  図１０は断面が四角形の棒状支持体８の外周に発光ダイオード連装ベルト９を巻回した一実施例を示す斜視図である。この実施例では図中Ａ面のみ発光することとなる。【００２３】  図１１は断面が三角形の棒状支持体１０の外周に発光ダイオード連装ベルト９を巻回した一実施例を示す斜視図である。この実施例では図中Ａ面及びＢ面のみ発光することとなる。【００２４】  図１２は円筒形の棒状支持体１１の外周に螺旋状のひねりを加えた発光ダイオード連装ベルト９を巻回した一実施例を示す斜視図である。この実施例ではＬＥＤ２の発光をダイレクトに生かす方式が可能である。光媒体による乱反射光を得る既述の実施例と相違する。ＬＥＤ２の発光をダイレクトに生かせることで、一つのブロックを一つの画素とすれば、多数のブロックを連結して映像表現にまで応用範囲を広げることが可能となる。【００２５】  図１６はフランジを付け加えた嵩上げ手段の説明図である。フランジ鍔１２を介在させて、チューブ状光媒体７とＬＥＤ２との距離ｈ１，ｈ２を調節できる
【産業上の利用可能性】
【００２６】  本発明により様々な光源製品への応用が期待できる。単なる光源としてではなく階段手摺りや縁石といった建具やエクステリア製品への利用可能性が広がる。人の生活に優しい光製品を創造できる。
【図面の簡単な説明】
【００２７】
【図１】  製造を示す概念図である。
【図２】  発光ダイオード連装ベルトの斜視図である。
【図３】  嵌合状態を示す斜視図である。
【図４】  発光ダイオード連装ベルトの斜視図である。
【図５】  嵌合状態を示す斜視図である。
【図６】  発光ダイオード連装ベルトの正面図である。
【図７】  発光ダイオード連装ベルトの正面図である。
【図８】  発光ダイオード連装ベルトの正面図である。
【図９】  発光ダイオード連装ベルトの正面図である。
【図１０】  一実施例を示す斜視図である。
【図１１】  一実施例を示す斜視図である。
【図１２】  一実施例を示す斜視図である。
【図１３】  従来例を示す斜視図である。
【図１４】  従来例を示す斜視図である。
【図１５】  従来例を示す斜視図である。
【図１６】  説明図である。
【符号の説明】
【００２８】１ａ  光媒体
１ｂ  光媒体
１ｃ  光媒体
２    ＬＥＤ
３    電源ユニット
４    発光ダイオード連装ベルト
４ａ  発光ダイオード連装ベルト
４ｂ  発光ダイオード連装ベルト
４ｃ  発光ダイオード連装ベルト
５    帯状アルミ
６    帯状フレキ基板
７    チューブ状光媒体
８    棒状支持体
９    発光ダイオード連装ベルト
１０  棒状支持体
１１  棒状支持体
１２  フランジ鍔
ｈ１  距離
ｈ２  距離
【図１】
2009289724.tif 000003
【図２】
2009289724.tif 000004
【図３】
2009289724.tif 000005
【図４】
2009289724.tif 000006
【図５】
2009289724.tif 000007
【図６】
2009289724.tif 000008
【図７】
2009289724.tif 000009
【図８】
2009289724.tif 000010
【図９】
2009289724.tif 000011
【図１０】
2009289724.tif 000012
【図１１】
2009289724.tif 000013
【図１２】
2009289724.tif 000014
【図１３】
2009289724.tif 000015
【図１４】
2009289724.tif 000016
【図１５】
2009289724.tif 000017
【図１６】
2009289724.tif 000018